【手続補正書】
【提出日】平成17年3月4日(2005.3.4)
【手続補正１】
【補正対象書類名】明細書
【補正対象項目名】特許請求の範囲
【補正方法】変更
【補正の内容】
【特許請求の範囲】
【請求項１】
外部回路に電気的に接続されたコネクタと、該コネクタから給電された電流を断続するスイッチング素子を有するイグナイタと、断続された該電流により所定の電圧を発生する一次コイル部と、発生した該電圧を昇圧し点火プラグに印加する二次コイル部と、該一次コイル部と該二次コイル部との間において硬化し該一次コイル部と該二次コイル部との絶縁を確保する樹脂絶縁材と、を備えてなる点火コイルであって、該イグナイタの外殻は、該樹脂絶縁材により形成されていることを特徴とする点火コイル。
【請求項２】
さらに、前記イグナイタの前記コネクタに対する位置決めを行う位置決め手段を持つ請求項１に記載の点火コイル。
【請求項３】
前記イグナイタは、さらに、前記スイッチング素子が固定されるヒートシンクを備え、前記位置決め手段は、該ヒートシンクと前記コネクタとを連結する連結部材である請求項２に記載の点火コイル。
【請求項４】
前記イグナイタは、さらに、前記スイッチング素子を制御する制御回路を収納する請求項１に記載の点火コイル。
【請求項５】
前記樹脂絶縁材の線膨張係数は、前記イグナイタを形成する材料のうち最も線膨張係数が小さい材料の線膨張係数を１００％として、７５０％以下に設定されている請求項１に記載の点火コイル。
【請求項６】
前記樹脂絶縁材の線膨張係数は、２５ｐｐｍ／Ｋ以下に設定されている請求項１に記載の点火コイル。
【請求項７】
外部回路に電気的に接続されたコネクタと、該コネクタから給電された電流を断続するスイッチング素子を有するイグナイタと、断続された該電流により所定の電圧を発生する一次コイル部と、発生した該電圧を昇圧し点火プラグに印加する二次コイル部と、該一次コイル部と該二次コイル部との間において硬化し該一次コイル部と該二次コイル部との絶縁を確保する樹脂絶縁材とを備えてなる点火コイルであって、該イグナイタの外殻は、該樹脂絶縁材により形成されており、該イグナイタと該樹脂絶縁材との間には該イグナイタの表面を覆う緩和部材が設けられていることを特徴とする点火コイル。
【請求項８】
前記緩和部材はシリコーンゴムからなることを特徴とする請求項７に記載の点火コイル。
【請求項９】
さらに、前記イグナイタの前記コネクタに対する位置決めを行う位置決め手段を持つ請求項７又は８に記載の点火コイル。
【請求項１０】
前記イグナイタは、さらに、前記スイッチング素子が固定されるヒートシンクを備え、前記位置決め手段は、該ヒートシンクと前記コネクタとを連結する連結部材である請求項９に記載の点火コイル。
【請求項１１】
前記イグナイタは、さらに、前記スイッチング素子を制御する制御回路を収納する請求項７又は８に記載の点火コイル。
【請求項１２】
前記樹脂絶縁材の線膨張係数は、前記イグナイタを形成する材料のうち最も線膨張係数が小さい材料の線膨張係数を１００％として、７５０％以下に設定されている請求項７又は８に記載の点火コイル。
【請求項１３】
前記樹脂絶縁材の線膨張係数は、２５ｐｐｍ／Ｋ以下に設定されている請求項７又は８に記載の点火コイル。
【手続補正２】
【補正対象書類名】明細書
【補正対象項目名】００２４
【補正方法】変更
【補正の内容】
【００２４】
本構成によると、樹脂絶縁材とＳｉとの線膨張係数の格差が小さい。したがって、樹脂絶縁材やイグナイタに加わる熱応力を緩和することができる。このため、本構成の点火コイルは、信頼性が高く、また寿命が長い。
（７）また請求項７に記載の点火コイルは、外部回路に電気的に接続されたコネクタと、該コネクタから給電された電流を断続するスイッチング素子を有するイグナイタと、断続された該電流により所定の電圧を発生する一次コイル部と、発生した該電圧を昇圧し点火プラグに印加する二次コイル部と、該一次コイル部と該二次コイル部との間において硬化し該一次コイル部と該二次コイル部との絶縁を確保する樹脂絶縁材とを備えてなる点火コイルであって、該イグナイタの外殻は、該樹脂絶縁材により形成されており、該イグナイタと該樹脂絶縁材との間には該イグナイタの表面を覆う緩和部材が設けられていることを特徴とする。
つまり、本発明の点火コイルは、イグナイタの外殻を一次コイル部と二次コイル部との絶縁を確保する樹脂絶縁材により形成し、イグナイタと樹脂絶縁材との間に緩和部材を設けるものである。また、緩和部材を設けることにより、樹脂絶縁部材とイグナイタとの間の熱応力を緩和するものである。
（８）好ましくは、前記緩和部材はシリコーンゴムからなるとよい。シリコーンゴムは、耐熱性、耐寒性、柔軟性に優れている。このため、樹脂絶縁部材のイグナイタとの間の熱応力を緩和出来、また、周囲の温度変化により劣化し難い。
（９）好ましくは、さらに、前記イグナイタの前記コネクタに対する位置決めを行う位置決め手段を持つ構成とする方がよい。イグナイタはコネクタと結線される。本構成によると、位置決め手段により、イグナイタのコネクタに対する位置が固定されている。このため、結線作業が容易になる。また、本構成によると、樹脂絶縁材注入時におけるイグナイタのがたつきを抑制することができる。
（１０）好ましくは、前記イグナイタは、さらに、前記スイッチング素子が固定されるヒートシンクを備え、前記位置決め手段は、該ヒートシンクと前記コネクタとを連結する連結部材である構成とする方がよい。ヒートシンクは、比較的堅牢であり体積が大きい。このため、ヒートシンクを連結部材により保持して位置決めを行うと、イグナイタの固定性が向上する。したがって、結線時や樹脂絶縁材注入時におけるイグナイタのがたつきを抑制することができる。
また、連結部材は、イグナイタとコネクタとを連結している。このため、本構成によると、イグナイタとコネクタとを一体に取り扱うことが出来る。このため、点火コイル製造時に、まずイグナイタとコネクタとを連結し、次にこの状態でイグナイタとコネクタとを結線し、それから結線した両部材を点火コイルに搭載することができる。すなわち、予め結線してから、イグナイタを点火コイルに搭載することができる。したがって、本構成によると、結線作業が容易になる。
（１１）好ましくは、前記イグナイタは、さらに、前記スイッチング素子を制御する制御回路を収納する構成とする方がよい。本構成によると、スイッチング素子だけでなく制御回路もイグナイタに収納され樹脂絶縁材により封止されている。このため、別途、制御回路を単独で配置する場合と比較して、制御回路とイグナイタとを結ぶ配線が不要となる。このため、点火コイルの取り扱い性が向上する。
（１２）好ましくは、前記樹脂絶縁材の線膨張係数は、前記イグナイタを形成する材料のうち最も線膨張係数が小さい材料の線膨張係数を１００％として、７５０％以下に設定されている構成とする方がよい。
樹脂絶縁材の線膨張係数を、イグナイタを形成する材料のうち最も線膨張係数が小さい材料の線膨張係数を１００％として、７５０％以下となるように設定したのは、７５０％を超えると樹脂絶縁材やイグナイタに熱応力による不具合が発生するおそれがあるためである。
すなわち、樹脂絶縁材の線膨張係数と、イグナイタを形成する材料の線膨張係数とが著しく異なる場合、周囲の温度変化に伴う熱膨張、熱収縮により、樹脂絶縁材やイグナイタに大きな熱応力が加わるおそれがある。そして、この熱応力により例えばクラックなどの不具合が発生するおそれがある。
本構成によると、樹脂絶縁材およびイグナイタを構成する各部材を形成する材料の線膨張係数の格差が小さい。したがって、樹脂絶縁材やイグナイタに加わる熱応力を緩和することができる。このため、本構成の点火コイルは、信頼性が高く、また寿命が長い。
（１３）好ましくは、前記樹脂絶縁材の線膨張係数は、２５ｐｐｍ／Ｋ以下に設定されている構成とする方がよい。樹脂絶縁材の線膨張係数を２５ｐｐｍ／Ｋ以下に設定したのは、２５ｐｐｍ／Ｋを超えると樹脂絶縁材やイグナイタに熱応力による不具合が発生するおそれがあるためである。
すなわち、イグナイタを構成する各部材のうち例えば半導体などに使用されるＳｉの線膨張係数は３．５ｐｐｍ／Ｋと比較的小さい。したがって、このＳｉの線膨張係数に対して、樹脂絶縁材の線膨張係数が過剰に大きいと、樹脂絶縁材やイグナイタに大きな熱応力が加わることになる。
本構成によると、樹脂絶縁材とＳｉとの線膨張係数の格差が小さい。したがって、樹脂絶縁材やイグナイタに加わる熱応力を緩和することができる。このため、本構成の点火コイルは、信頼性が高く、また寿命が長い。